(57)【要約】【課題】ガイドの保有数量を激減させ、特別に大掛かりな設備を有することなく圧延素材を圧延機に確実に誘導するガイド機能を持たせると共に、圧延機でのロール組替作業を簡便・迅速に行える形鋼圧延機用ガイド装置を提供する。【解決手段】一式の圧延ロールを軸支する作業側ハウジング１４と駆動側ハウジング１３とが、上タイロッド１７及び下タイロッド１８で連結された形鋼圧延機用ガイド装置１０であって、上タイロッド１７及び下タイロッド１８間に支持フレーム３４、３５を設け、支持フレーム３４、３５の上下に上軸３６及び下軸３７を水平に設け、上軸３６に作業側と駆動側方向に２分割した上ガイド４０、４１を、その幅方向の取付け間隔が上側調整手段によって幅調整可能に設け、下軸３７に、作業側と駆動側方向に２分割した下ガイド４２、４３を、その幅方向の取付け間隔が下側調整手段によって幅調整可能に設けた。【選択図】　　　　図１
2004114080.tif 000002
【特許請求の範囲】
【請求項１】
一式の圧延ロールを軸支する作業側ハウジングと駆動側ハウジングとが、上タイロッド及び下タイロッドで連結されたハウジング構成を有する形鋼圧延機用ガイド装置であって、
前記上タイロッド及び下タイロッド間にそれぞれ支持フレームを設け、該支持フレームの上下に上軸及び下軸をそれぞれ水平に設け、
前記上軸に作業側と駆動側方向に２分割した上ガイドを、その幅方向の取付け間隔が上側調整手段によって幅調整可能に設け、
更に前記下軸に、作業側と駆動側方向に２分割した下ガイドを、その幅方向の取付け間隔が下側調整手段によって幅調整可能に設けたことを特徴とする形鋼圧延機用ガイド装置。
【請求項２】
請求項１記載の形鋼圧延機用ガイド装置において、前記上軸及び下軸をそれぞれ回転可能な偏心軸として、それぞれの該偏心軸の回転により、前記上ガイドと下ガイドとの隙間を調整可能としたことを特徴とする形鋼圧延機用ガイド装置。
【請求項３】
請求項１及び２のいずれか１項に記載の形鋼圧延機用ガイド装置において、前記上側調整手段及び下側調整手段は、一方に右ねじ部を他方に左ねじ部を有する送りロッドと、該送りロッドを回転する回転駆動源とをそれぞれ有し、前記２分割した上ガイド及び下ガイドに前記送りロッドがそれぞれ螺合していることを特徴とする形鋼圧延機用ガイド装置。
【請求項４】
請求項１〜３のいずれか１項に記載の形鋼圧延機用ガイド装置において、前記一式の圧延ロールは、上下一対の水平ロール、又は上下一対の水平ロールと左右一対の竪ロールとの組み合わせからなることを特徴とする形鋼圧延機用ガイド装置。
【発明の詳細な説明】
【０００１】
【発明の属する技術分野】
本発明は、ユニバーサル圧延機やエッジャー圧延機などの形鋼圧延機の入側と出側の少なくとも一方に配設されて、圧延素材を圧延機に誘導する形鋼圧延機用ガイド装置に関する。
【０００２】
【従来の技術】
ユニバーサル圧延機及びエッジャー圧延機などの形鋼用圧延機の入側と出側の少なくとも一方には、圧延される製品の寸法精度をより高度にすることを主目的として、圧延素材をこの圧延機に誘導するガイド装置が配設されている。このようなガイド装置において、圧延中に圧延素材を圧延機に確実に誘導すると共に、圧延機でのロール組替作業を簡便・迅速に行おうとする従来の技術として、例えば以下に示す特許文献１に開示されている。この技術の概要は、ガイド本体はロールチョックに直接取付けられており、一つのユニットとして作業側のハウジングと共に圧延ラインの圧延線から外れるように移動させることによりハウジングから取り外し可能であるように構成し、ロールの組替えに際しては従来の如く、圧延機のハウジングからガイドを取り外してロールの組替えを行わなくてよくその分ロール組替え作業が簡便かつ迅速になるものである。
一方、形鋼圧延機用ガイド装置における別の従来技術として、例えば以下に示す特許文献２〜４等に開示されている。
これらの技術の概要は、圧延機のハウジングに、２分割した上下のガイドをその幅方向の取付け間隔を調整可能に配設すると共に、上下のガイドの配設間隔を昇降手段により調整可能としたものであり、この構成により圧延素材のサイズが種々変更になった場合でも、その都度、当該ガイドを取り替えることなく圧延が実施できるものである。
【０００３】
【特許文献１】
特開平１０−２７２５０４号公報
【特許文献２】
特開平４−２２８２１６号公報
【特許文献３】
特開平５−２３７２５号公報
【特許文献４】
特公平６−５９４９７号公報
【０００４】
【発明が解決しようとする課題】
しかしながら、前記従来技術である特開平１０−２７２５０４号公報に開示されたガイド装置は、以下の大きな２つの課題を有している。
本発明が圧延を対象としているＨ形鋼の製品サイズは現状２０種類ある。ここで従来の特開平１０−２７２５０４号公報に開示されているガイドは、一体形状のものであるため前記の種類のＨ形鋼を全て圧延するには圧延素材のサイズ毎に専用のガイドが必要で、２０種類のガイドを保有しなければならない。このため、設備の初期コストとランニングコストが膨大となる。また、サイズ替えの度に、ガイドをロールチョックに取付けや取り外しを行うことになり組替えの手間がかかる。
【０００５】
第二の課題は、前記の従来技術のガイドは、ロールチョックに固定されているためガイドの昇降機能は有しているが、その形状が、前記のとおり、一体形状であって、且つ幅方向のガイドの調整機能を有していない。例えば、実際のＨ形鋼の圧延において、圧延素材は該圧延機での複数回の圧延パスにより、そのフランジ幅がパス毎に漸次変化する。そのため、特に圧延素材とガイドとの間には、隙間の変化が生ずる。
このような状態になると、圧延機の入側のガイドにおいては、ロールの孔形に対して圧延素材の中心がずれて圧延されるためフランジ厚の偏りが発生し、また、フランジ部の圧延反力のアンバランスに起因する圧延素材の曲がりが発生してミスロールとなる。さらに、圧延機の出側のガイドにおいても、圧延素材の左右の曲がりを矯正することができない。
【０００６】
また、別の従来技術である特開平４−２２８２１６号公報、特開平５−２３７２５号公報、特公平６−５９４９７号公報等に開示されている技術には下記の課題がある。
従来のガイド装置は、ガイド装置が圧延機の前後に別に配設、又は圧延機のハウジング等に取り外し可能に設けられている。従って、当該圧延機に組み込まれているロールを交換する場合、ガイド装置がロールチョックと干渉するため、ガイド装置の退避、又は取り外しがその都度必要となり、その分ロール交換時に多くの時間を費やし、その分生産性が低下する。
本発明は、前記従来技術の課題に鑑み、ガイドの保有数量を激減させ、特別に大掛かりな設備を有することなく圧延素材を圧延機に確実に誘導するガイド機能を持たせると共に、圧延機でのロール組替作業を簡便・迅速に行える形鋼圧延機用ガイド装置を提供することをその目的とする。
【０００７】
【課題を解決するための手段】
前記目的に沿う第１の発明に係る形鋼圧延機用ガイド装置は、一式の圧延ロールを軸支する作業側ハウジングと駆動側ハウジングとが、上タイロッド及び下タイロッドで連結されたハウジング構成を有する形鋼圧延機用ガイド装置であって、前記上タイロッド及び下タイロッド間にそれぞれ支持フレームを設け、該支持フレームの上下に上軸及び下軸をそれぞれ水平に設け、前記上軸に作業側と駆動側方向に２分割した上ガイドを、その幅方向の取付け間隔が上側調整手段によって幅調整可能に設け、更に前記下軸に、作業側と駆動側方向に２分割した下ガイドを、その幅方向の取付け間隔が下側調整手段によって幅調整可能に設けている。
【０００８】
第２の発明に係る形鋼圧延機用ガイド装置は、第１の発明に係る形鋼圧延機用ガイド装置において、前記上軸及び下軸をそれぞれ回転可能な偏心軸として、それぞれの該偏心軸の回転により、前記上ガイドと下ガイドとの隙間を調整可能としている。
第３の発明に係る形鋼圧延機用ガイド装置は、第１、第２の発明に係る形鋼圧延機用ガイド装置において、前記上側調整手段及び下側調整手段は、一方に右ねじ部を他方に左ねじ部を有する送りロッドと、該送りロッドを回転する回転駆動源とをそれぞれ有し、前記２分割した上ガイド及び下ガイドに前記送りロッドがそれぞれ螺合している。
そして、第４の発明に係る形鋼圧延機用ガイド装置は、第１〜第３の発明に係る形鋼圧延機用ガイド装置において、前記一式の圧延ロールは、上下一対の水平ロール、又は上下一対の水平ロールと左右一対の竪ロールとの組み合わせからなっている。
【０００９】
【発明の実施の形態】
続いて、本発明を具体化した実施の形態について説明し、本発明の理解に供する。
ここに、図１は本発明の一実施の形態に係る形鋼圧延機用ガイド装置を組み込んだユニバーサル圧延機の正面図、図２は図１における矢視Ａ−Ａ断面図、図３は図１における矢視Ｂ−Ｂ断面図、図４は同形鋼圧延機用ガイド装置を正面側から見た部分拡大図、図５は図４における矢視Ｃ−Ｃ断面図、図６は図５の平面図、図７は同形鋼圧延機用ガイド装置を装着したタンデムロールスタンド群の平面配置図、図８は同形鋼圧延機用ガイド装置を使用しているユニバーサル圧延機のロール交換時の側面図を示す。
【００１０】
図１〜図３に示すように、本発明の一実施の形態に係る形鋼圧延機用ガイド装置１０が設けられているユニバーサル圧延機１１は、圧延しようとする形鋼（この実施の形態ではＨ型鋼）１２を中心として、右左に駆動側ハウジング１３及び作業側ハウジング１４を有している。駆動側及び作業側のハウジング１３、１４の前後はそれぞれ中間部にタイロッドスリーブ（カラー）１５、１６が装着された上下２本の上タイロッド１７、下タイロッド１８によって連結され、常時はそれぞれの上タイロッド１７、下タイロッド１８の片側に設けられている周知構造のプレストレスシリンダー１９（図６参照）によって左右のハウジング１４、１３は予圧状態で緊結保持されて、一つのハウジング構成が形成されている。このハウジング構成内には、左右を軸受によって支持される周知構造の上下一対の水平ロール２０、２１（一式の圧延ロールの一例）と、上下に軸受によって支持される左右の竪ロール２２、２３（一式の圧延ロールの一例）とを有し、形鋼１２のウェブ及びフランジの圧延成形を行っている。
駆動側ハウジング１３の側方には、上下一対の水平ロール２０、２１を駆動する周知構造の図示しない駆動手段が設けられている。
【００１１】
また、作業側及び駆動側のハウジング１４、１３の下部位置には、ハウジング用車輪２４〜２７が前後にそれぞれ設けられており、搬送手段の一例である油圧シリンダ２９（図７、図８参照）によって、ハウジング１３、１４は図７に示す圧延ライン３０と圧延ロール交換ライン３１との間を移動可能となっている。図１において、３２は移動台車であって、この移動台車３２の下部の前後左右には移動台車用車輪３３が設けらており、図示していない駆動手段により、ハウジング１３、１４と同様に圧延ライン３０と圧延ロール交換ライン３１との間を移動可能である。
【００１２】
以上の主要な構成をなすユニバーサル圧延機１１に、本発明の一実施の形態に係る形鋼圧延機用ガイド装置１０が設けられている。そのその詳細を図４、図５、図６を参照しながら、以下に説明する。
これらの図において、２０、２１はハウジング１３、１４内に設けられている前述した水平ロール、２２、２３は竪ロールを示す。両ロール２０、２１及び２２、２３によって、圧延素材である形鋼１２は、このユニバーサル圧延機１１の前後に配設されている図示していない別の圧延機に搬送される。
ハウジング１３、１４の前後に設けられている上下一対のタイロッド１７、１８の間には、支持フレーム３４、３５が設けられており、左右の支持フレーム３４、３５及びこの支持フレーム３４、３５を実質的に連結する上下のタイロッドスリーブ１５、１６を組み合わせた形状が正面視して略ロ型形状をして、中央に形鋼１２を挿通する空間を形成している。
この支持フレーム３４、３５をハウジング１３、１４に確実に密着固定するために固定手段３４ａ、３４ｂが、ハウジング１３、１４の前後にそれぞれ設けられている（図３参照）。固定手段３４ａ、３４ｂは、周知であって、支持フレーム３４、３５に設けられている楔部とこの楔部をハウジング１３、１４に押し付けるクランプ用楔を進退する油圧シリンダー３５ａ、３５ｂとを有している。油圧シリンダー３５ａ、３５ｂを伸縮することによって、支持フレーム３４、３５をハウジング１３、１４に固着させたりあるいは解除させたりすることができる。
【００１３】
この左右対となる支持フレーム３４、３５には、この支持フレーム３４、３５によって軸支され、それぞれ上軸及び下軸の一例である偏心軸３６、３７が上下に水平に設けられている。この偏心軸３６、３７は、支持フレーム３４、３５に軸支された部分の軸心に対してその内側部分が偏心した偏心部３８、３９（図６参照）をそれぞれ有している。そして、偏心部３８に作業側と駆動側方向に２分割した上ガイド４０、４１を、偏心部３９に作業側と駆動側に２分割した下ガイド４２、４３を備えている。
図４、図６に示すように、偏心軸３６、３７の片側にはそれぞれウォーム減速機４４、４５が設けられている。このウォーム減速機４４、４５の内部にはウォームホイル４６とウォーム４７が設けられている。ウォーム減速機４４、４５はそれぞれ同一回転の入力軸に対して出力が異なる回転方向に設定され、ウォーム４７に連結されるガイド隙間調整用モータ４７ａを駆動することによって、偏心軸３６、３７を互いに逆方向に回転し、偏心部３８、３９に取付けられている上ガイド４０、４１を上下方向、下ガイド４２、４３を下上方向に移動させてその間隔の調整ができる構造となっている。
【００１４】
前記偏心軸３６、３７の偏心部３８、３９の両端拡径部４８、４９にはそれぞれ対向するブラケット５０〜５３が設けられ、ブラケット５０、５１には上側調整手段の一部を構成する送りロッドの一例であるねじ軸５４の両端が、ブラケット５２、５３の両端には下側調整手段の一部を構成する送りロッドの一例であるねじ軸５５の両端がそれぞれ軸支されている。片側のブラケット５０、５２にそれぞれモータ取付け座５６、５７が設けられ、このモータ取付け座５６、５７には、ねじ軸５４、５５を回転する回転駆動源の一例である調整用モータ５８、５９が設けられている。ねじ軸５４、５５はそれぞれ中央を基準にして左右に左ねじ部及び右ねじ部が形成されている。
上ガイド４０、４１は厳密には取付けフレーム６０、６１を介して偏心部３８に摺動可能に固定され、下ガイド４２、４３は取付けフレーム６２、６３を介して偏心部３９に摺動可能に固定されている。上側の取付けフレーム６０、６１には、上側にねじ軸５４の左ねじ部及び右ねじ部にそれぞれ螺合するナット部を備え、ねじ軸５４を回転させることによって、取付けフレーム６０、６２に固定された上ガイド４０、４１の間隔調整ができるようになっている。また、下側の取付けフレーム６２、６３にも下側のねじ軸５５の左ねじ部及び右ねじ部にそれぞれ螺合するナット部が設けられ、ねじ軸５５の回転によって、下ガイド４２、４３を近づけたり離反させることよって、その位置調整ができる構造となっている。なお、前記した上側調整手段は、ブラケット５０、５１、ねじ軸５４、モータ取付け座５６、調整用モータ５８、ナット部を備えた取付けフレーム６０、６１を有して構成され、前記した下側調整手段は、ブラケット５２、５３、ねじ軸５５、モータ取付け座５７、調整用モータ５９、ナット部を備えた取付けフレーム６２、６３を備えて構成されている。
【００１５】
また、上ガイド４０、４１及び下ガイド４２、４３の中心は、圧延ライン３０の中心線ｍ１にそれぞれ左右対称に設けられて予め配置されている。従って、調整用モータ５８を駆動することによって、対となる上ガイド４０、４１がそれぞれ中心線ｍ１を中心にして左右の距離を等間隔に保ちながら移動し、調整用モータ５８の回転を止めたときには、その位置で保持される。また、調整用モータ５９を駆動することによって、下ガイド４２、４３は中心線ｍ１との間隔を一定に保ちながら移動し、調整用モータ５９を止めることによってその位置で固定保持される。
一方、上ガイド４０、４１及び下ガイド４２、４３の上下方向の中心位置は、予め形鋼１２の搬送高さレベルｍ２、即ち上下の水平ロール２０、２１の中間位置に設定されているので、ガイド隙間調整用モータ４７ａを駆動することによって、上ガイド４０、４１及び下ガイド４２、４３は、その中心位置ｍ２を保ちながら上下する。ガイド隙間調整用モータ４７ａの回転を止めると、ウォーム減速機４４、４５によってセルフロックされてその位置に固定される。この場合であっても、ガイド隙間調整用モータ４７ａにブレーキ付きのモータを使用するのが好ましく、これによって、確実に上ガイド４０、４１及び下ガイド４２、４３がその位置にロックされる。
【００１６】
実際の形鋼の圧延においては、即ち、この形鋼圧延機用ガイド装置１０を適用しようとする圧延機が対象としているＨ形鋼の製品サイズは、現状では２０種類ある。一種類の対となる水平ロール及び一種類の対の竪ロールのみでは、全部の形鋼の圧延をすることは困難であるので、形鋼の製品サイズに応じて、圧延ロールの交換を行う必要があり、また、圧延ロールの摩耗や損耗等により圧延ロールの交換が必要となる。以下に本発明の一実施の形態に係る形鋼圧延機用ガイド装置１０を備えた圧延機のロールの交換方法について、以下に説明する。
図７に示すように、圧延ライン３０に沿って、順次、粗ユニバーサル圧延機７１、エッジャー圧延機７２、仕上げ粗ユニバーサル圧延機７３が各々配置され前記タンデムロールスタンド群７４が構成されている。このタンデムロールスタンド群７４の間を圧延素材が往復動し、所定の形状に圧延される。前記した各圧延機７１〜７３には、前記した本発明の一実施の形態に係る形鋼圧延機用ガイド装置１０が各々設けられており、図７にはそのうちの一部の構成である上ガイド４０、４１が示されている。図７において、紙面上側が圧延ロールの駆動側を示し、下側が作業側を示す。
【００１７】
３１は前述のように、オフラインで新旧の圧延ロールを交換する圧延ロール交換ラインであり、圧延ロール交換ライン３１の右側には、交換すべき新しい圧延ロールが予め積置されている移動台車７５〜７７が待機してなる新圧延ロール群７８が形成されている。移動台車７５〜７７は、レール７９上を左右に移動し、圧延ロール交換ライン３１の左側には、圧延ライン３０から取り出された交換すべき古い圧延ロールを積置した場合に構成される旧圧延ロール群８０が構成される。
続いて、図８及び図７を用いて本発明の一実施の形態に係る形鋼圧延機用ガイド装置１０を設けたユニバーサル圧延機７１（７３も同様）の圧延ロールの交換方法の概要を説明する。
図８に示すように、圧延ライン３０を中心にして配設されている実線が圧延中のユニバーサル圧延機７１（７３も同様）の全体図を示し、この圧延機７１の駆動側ハウジング１３及び作業側ハウジング１４は、前記のとおり、上、下タイロッド１７、１８にて強固に保持されており、この上、下タイロッド１７、１８を開放することにより駆動側と作業側のハウジング１３、１４を各々分割できる構造となっている。
【００１８】
そして、図８において、３１は前述の圧延ロール交換ライン、８１は退避ラインを示し、油圧シリンダー２９は、圧延ロールの交換時、前記作業側ハウジング１４及び交換される圧延ロール及びガイド装置１０からなる旧ロール組を一旦、前記退避ライン８１まで、又は新しく交換される圧延ロール及びガイド装置１０からなるロール組と作業側ハウジング１４とを圧延ライン３０まで駆動する搬送手段である。
実線で示す圧延ライン３０の位置での圧延が終了し、圧延ロールを交換する場合の手順について、以下に説明する。
【００１９】
（１）実線で示す圧延機７１の状態よりまず、上、下タイロッド１７、１８を緩め、移動台車３２上に、交換される一式の圧延ロール（水平ロール２０、２１、竪ロール２２、２３）及び上ガイド４０、４１、下ガイド４２、４３を有するロール組８２を載置する。
（２）次に、前記油圧シリンダー２９により、前記ロール組８２と作業側ハウジング１４とを一旦、前記退避ライン８１まで移動させる。
（３）作業側ハウジング１４から、旧ロール組８２を取り外す。
（４）移動台車３２を駆動させ、図７に示す旧圧延ロール群８０の場所まで、この旧ロール組８２を移動させ、その後、移動台車３２から例えば、クレーンなどにより旧ロール組８２を降ろす。
（５）移動台車３２を図７に示す新圧延ロール群７８の場所まで移動させ、該移動台車３２上に、予め別の場所で新しく交換するロール等を組み込んでいた新しいロール組８２を載置する。
（６）新しいロール組８２を前記退避していた作業側ハウジング１４に合体し、前記油圧シリンダー２９の駆動により、合体した両者を前記圧延ライン３０まで移動させ、上、下タイロッド１７、１８により両ハウジング１３、１４を締め付ける。
以上の（１）〜（６）にて、圧延ロールの交換が全て完了する。
【００２０】
なお、前記実施の形態は、粗、仕上げユニバーサル圧延機７１、７３におけるロールの交換について説明したが、エッジャー圧延機７２におけるロール交換についても前記のユニバーサル圧延機と同様にすればよく、その説明は省略する。
また、本発明は前記した実施の形態に限定されるものではなく、本発明の要旨を変更しない範囲での変更は可能であり、例えば、前記した実施の形態や変形例の一部又は全部を組み合わせて本発明の形鋼圧延機用ガイド装置を構成する場合も本発明の権利範囲に含まれる。
【００２１】
【発明の効果】
請求項１〜４記載の形鋼圧延機用ガイド装置は、以上の説明からも明らかなように、上軸に作業側と駆動側方向に２分割した上ガイドを、その幅方向の取付け間隔が上側調整手段によって幅調整可能に設け、更に下軸に、作業側と駆動側方向に２分割した下ガイドを、その幅方向の取付け間隔が下側調整手段によって幅調整可能に設けているので、複数種類の形鋼のサイズに応じて、上ガイド及び下ガイドを複数種類用意して交換する必要がなくなる。具体的には、例えば、高さが２００〜９００ｍｍのＨ形鋼の場合、上ガイド及び下ガイドが従来法の２０種類に対して１種類で済み、大幅な設備コストの削減が可能である。
更には、圧延中であっても、圧延のパス毎にガイド幅を調整可能とするので、常時圧延素材を安定してガイドすることが可能である。
特に、請求項２記載の形鋼圧延機用ガイド装置においては、上軸及び下軸をそれぞれ回転可能な偏心軸として、それぞれの偏心軸の回転により、上ガイドと下ガイドとの隙間を調整可能としているので、従来の技術である特開平４−２２８２１６号公報、特開平５−２３７２５号公報、又は特公平６−５９４９７号公報等に開示されているガイドの昇降手段が不要となりその分、装置がコンパクト且つ保守が容易となる。
【図面の簡単な説明】
【図１】本発明の一実施の形態に係る形鋼圧延機用ガイド装置を組み込んだユニバーサル圧延機の正面図である。
【図２】図１における矢視Ａ−Ａ断面図である。
【図３】図１における矢視Ｂ−Ｂ断面図である。
【図４】同形鋼圧延機用ガイド装置を正面側から見た部分拡大図である。
【図５】図４における矢視Ｃ−Ｃ断面図である。
【図６】図５の平面図である。
【図７】同形鋼圧延機用ガイド装置を装着したタンデムロールスタンド群の平面配置図である。
【図８】同形鋼圧延機用ガイド装置を使用しているユニバーサル圧延機のロール交換時の側面図である。
【符号の説明】
１０：形鋼圧延機用ガイド装置、１１：ユニバーサル圧延機、１２：形鋼、１３：駆動側ハウジング、１４：作業側ハウジング、１５、１６：タイロッドスリーブ、１７：上タイロッド、１８：下タイロッド、１９：プレストレスシリンダー、２０、２１：水平ロール、２２、２３：竪ロール、２４〜２７：ハウジング用車輪、２９：油圧シリンダー、３０：圧延ライン、３１：圧延ロール交換ライン、３２：移動台車、３３：移動台車用車輪、３４：支持フレーム、３４ａ、３４ｂ：固定手段、３５：支持フレーム、３５ａ、３５ｂ：油圧シリンダー、３６、３７：偏心軸、３８、３９：偏心部、４０、４１：上ガイド、４２、４３：下ガイド、４４、４５：ウォーム減速機、４６：ウォームホイル、４７：ウォーム、４７ａ：ガイド隙間調整用モータ、４８、４９：両端拡径部、５０〜５３：ブラケット、５４、５５：ねじ軸、５６、５７：モータ取付け座、５８、５９：調整用モータ、６０〜６３：取付けフレーム、７１：粗ユニバーサル圧延機、７２：エッジャー圧延機、７３：仕上げ粗ユニーバーサル圧延機、７４：タンデムロールスタンド群、７５〜７７：移動台車、７８：新圧延ロール群、７９：レール、８０：旧圧延ロール群、８１：退避ライン、８２：ロール組
【図１】
2004114080.tif 000003
【図２】
2004114080.tif 000004
【図３】
2004114080.tif 000005
【図４】
2004114080.tif 000006
【図５】
2004114080.tif 000007
【図６】
2004114080.tif 000008
【図７】
2004114080.tif 000009
【図８】
2004114080.tif 000010